(57)【特許請求の範囲】
【請求項１】
かご枠に上かご室と下かご室からなるかご室が上下に設けられた乗りかごを備えたダブルデッキエレベーターにおいて、
上かご室または下かご室の一方を他方とは独立して前記かご枠の左右立枠にそって上下に移動可能に当該かご枠に対して取り付け、
前記上下かご室のうち可動な方のかご室に一端が止着されるロープを前記かご枠の上梁に配置した巻上機の綱車に掛け廻し、このロープの他端には前記左右縦枠に摺動自在に嵌合する釣合い重りを連結し、
前記巻上機の駆動により上かご室と下かご室の一方を他方に対して相対移動させるようにしたことを特徴とするダブルデッキエレベーター。
【請求項２】
かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、
前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、
前記かご枠の立枠に沿って転動するローラーと、このローラーを駆動するモータを前記釣合い重りに設け、釣合い重りの自走により上かご室と下かご室の一方を他方に対して相対移動させるようにしたことを特徴とするダブルデッキエレベーター。
【請求項３】
かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、
前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、
前記かご枠の立枠に１次導体を設け、前記釣合い重りを２次導体として前記１次導体に通電したときに１次導体と釣合い重りとの間に釣合い重りを移動させる推力を発生させ、釣合い重りの自走により上かご室と下かご室の一方を他方に対して相対移動させるようにしたことを特徴とするダブルデッキエレベーター。
【請求項４】
かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、
前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、
前記かご枠の立枠に沿って転動するローラーと、このローラーを駆動するモータとを前記可動な方のかご室に設け、一方のかご室の自走により他方のかご室に対して相対移動させるようにしたことを特徴とするダブルデッキエレベーター。
【発明の詳細な説明】
【０００１】
【発明の属する技術分野】
本発明は、かご枠にかご室が上下二段に設けられているダブルデッキエレベーターに係り、特に、上下かご室の階床間隔を可変にしたダブルデッキエレベーターに関する。
【０００２】
【従来の技術】
この種のダブルデッキエレベーターは、かご枠に上下に連設した２つの乗りかごに乗客を乗せて運ぶようにしたもので、建物に占めるエレベーターの占有面積を増大させずに大量の乗客を短時間で運ぶことが可能となる利点があり、高層建物に適したエレベーターである。
【０００３】
図１０にダブルデッキエレベーターの乗りかごの従来例を示す。ダブルデッキエレベーターでは、全体かご枠１０には、それぞれ独立したかご室として、上段の上かご室１１と、下段の下かご室１２が取り付けられている。
【０００４】
このようなダブルデッキエレベーターでは、ホール呼び出しまたはかご室呼び出しに応じて、上かご室１１が所定の上の階床ＵＦに、下かご室１２はその下の階床ＤＦに着床することができ、それぞれの階で乗客の乗り降りが行われるようになっている。
【０００５】
【発明が解決しようとする課題】
しかしながら、従来のダブルデッキエレベーターでは、上かご室１１と下かご室１２は、全体かご枠１０に固定されていて、上下かご室間の間隔は一定である。ところが、建築物によっては、階床間隔が階床によって異なっている場合がある。この階床間隔の相違は、デザインを凝らした建築物にしばしばみられる。また、建築誤差に基づく場合もある。
【０００６】
このような異なる階床間隔の異なる建物では、上かご室１１と下かご室１２のいずれかのかごを階床ＵＦ、ＤＦの一方を基準に着床させると、他方のかごと階床との間には段差が生じるという問題があった。
【０００７】
そこで、本発明の目的は、前記従来技術の有する問題点を解消し、異なる階床間隔を持つ建物であっても、階床との間に段差の生じることなく着床することができるようにしたダブルデッキエレベーターを提供することにある。
【０００８】
【課題を解決するための手段】
前記の目的を達成するために、請求項１に記載した発明は、かご枠に上かご室と下かご室からなるかご室が上下に設けられた乗りかごを備えたダブルデッキエレベーターにおいて、上かご室または下かご室の一方を他方とは独立して前記かご枠の左右立枠にそって上下に移動可能に当該かご枠に対して取り付け、前記上下かご室のうち可動な方のかご室に一端が止着されるロープを前記かご枠の上梁に配置した巻上機の綱車に掛け廻し、このロープの他端には前記左右縦枠に摺動自在に嵌合する釣合い重りを連結し、前記巻上機の駆動により上かご室と下かご室の一方を他方に対して相対移動させるようにしたことを特徴とするものである。
【０００９】
また、請求項２に記載した発明は、かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、前記かご枠の立枠に沿って転動するローラーと、このローラーを駆動するモータを前記釣合い重りに設け、釣合い重りの自走により上かご室と下かご室の一方を他方に対して相対移動させるようにしたことを特徴とするものである。
【００１０】
また、請求項３に記載した発明は、かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、前記かご枠の立枠に１次導体を設け、前記釣合い重りを２次導体として前記１次導体に通電したときに１次導体と釣合い重りとの間に釣合い重りを移動させる推力を発生させ、釣合い重りの自走により上かご室と下かご室の一方を他方に対して相対移動させるようにしたことを特徴とするものである。
【００１１】
請求項４に記載した発明は、かご枠に上かご室と下かご室からなるかご室が上下に設けられた乗りかごを備えたダブルデッキエレベーターにおいて、上かご室または下かご室の一方を他方とは独立して前記かご枠の左右縦枠にそって上下に移動可能に前記かご枠に対して取り付け、前記上下かご室のうち可動な方のかご室に一端が止着されるロープを前記かご枠に配置した巻上機の綱車に掛け廻し、このロープの他端には前記左右縦枠に摺動自在に嵌合する釣合い重りを連結し、前記かご枠の立枠に沿って転動するローラーと、このローラーを駆動するモータとを前記可動な方のかご室に設け、一方のかご室の自走により他方のかご室に対して相対移動させるようにしたことを特徴とするものである。
【００１５】
【発明の実施の形態】
以下、本発明によるダブルデッキエレベーターの一実施形態について、添付の図面を参照しながら説明する。
第１実施形態
図１は、本発明の第１実施形態によるダブルデッキエレベーターの乗りかごを示す図である。
この図１において、２０はダブルデッキエレベーターの乗りかご全体を示す。この乗りかご２０では、立枠２１、２１の最上部および最下部に上梁２２、下梁２３が架け渡されて乗りかご全体を支持するかご枠が構成されており、この全体かご枠には、上かご室２４ａと下段の下かご室２４ｂとが取り付けられている。主索２６は、上梁２２に直接に取り付けられている。上梁２２および下梁２３には、それぞれ案内装置としてガイドローラ２７が設けられており、このガイドローラ２７は、エレベーターの昇降路に沿って設けられているガイドレール２８に当接して転動するようになっている。
【００１６】
このダブルデッキエレベーターの乗りかご２０では、上下２段のかご室２４ａ、２４ｂのうち、上段の上かご室２４ａは、立枠２１、２１に沿って上下に移動可能に取り付けられている。これに対して、下段の下かご室２４ｂは、下梁２３に床受け枠２５を介して固定されている。上かご室２４ａは、下かご室２４ｂとは独立して上下に移動可能になっており、乗りかご全体の釣合い重りとは別に、上かご室専用の釣合い重り３０とロープ３２によって連結されている。この場合、釣合い重り３０は、コ字状断面をもった立枠２１に摺動自在に嵌合するようになっている。また、上かご室２４ａに取り付けられている上かご用ガイドローラ３１が立枠２１の側部に沿って転動し、この立枠２１が上かご室２４ａの移動を案内するガイドレールとしての役割を果たすようになっている。
【００１７】
かご枠最上部の上梁２２には、上かご室２４ａを上下に移動される駆動装置として、巻上機が配置されている。この巻上機のトラクションシーブ３３は軸受台３４に支持され、巻上機モータ３５によって駆動される。また、上梁２２上には、プーリー３６が軸受台３７によって支持され、上かご室２４ａに一端が止着されるロープ３２は、トラクションシーブ３３、プーリー３６をバランス良く掛け廻わされ、このロープ３２の他端は釣合い重り３０に連結されている。
【００１８】
このような本実施の形態のダブルデッキエレベーターによれば、下側の階床を基準にして下かご室２４ｂを着床させたときに、巻上機モータ３５の駆動により上かご室２４ａを上下に移動させることで、上下かご室間の間隔の調整が可能となるので、階床間隔が階によって異なる建物であっても、上側の階床と上かご室２４ａとの間に段差が生じないように着床させることができる。
【００１９】
第２実施形態
図２は、本発明の第２の実施形態によるダブルデッキエレベーターの乗りかごを示す図である。
上記した第１実施形態と異なるところは、上梁２２には、左右両側に一組のプーリー３６が軸受台３７を介して支持され、巻上機駆動の替りに、自走式の釣合い重り４０を設けた点である。その他は、図１と同じであり、同一の構成要素には同一の参照符号を付してある。
【００２０】
図３は、図２の矢印Ａ方向から釣合い重り４０を示す図で、この釣合い重り４０には、立枠２１に対して押し付けられて転動する一対のローラー４１ａ、４１ｂと、このローラ４１ａ、４１ｂを駆動するモータ４２を備えている。従って、釣合い重り４０は、モータによりローラ４１ａ、４１ｂが駆動されると、立枠２１に沿って自走することができるので、下側の階床を基準にして下かご室２４ｂを着床させたときに、釣合い重り４０を自走させながら、上かご室２４ａを上下に移動させることで、上下かご室間の間隔の調整し、上側の階床と上かご室２４ａとの間に段差が生じないように着床させることができる。
【００２１】
第３実施形態
図４は、本発明の第３の実施形態によるダブルデッキエレベーターの乗りかごを示す図である。
この第３実施形態では、釣合い重り４０が自走式である点は上記第２実施形態と同様であるが、リニアモータを応用した駆動方式とした点が異なっている。その他は、図２と同じであり、同一の構成要素には同一の参照符号を付してある。
【００２２】
図５に示すように、かご枠の立枠２１の内側には、１次導体として電磁石のブロック４４が長さ方向に配列されている。立枠２１に移動自在に嵌合している釣合い重り４０は、２次導体として機能し、前記１次導体の電磁石ブロック４４に通電したことで、１次導体と釣合い重り４０との間に釣合い重り４０を移動させる推力を発生させるようになっている。
【００２３】
従って、釣合い重り４０は、リニアモータ駆動方式により立枠２１に沿って自走することができるので、下側の階床を基準にして下かご室２４ｂを着床させたときに、釣合い重り４０を自走させながら、上かご室２４ａを上下に移動させることで、上下かご室間の間隔の調整し、上側の階床と上かご室２４ａとの間に段差が生じないように着床させることができる。
【００２４】
第４実施形態
次に、図６は、本発明の第４の実施形態によるダブルデッキエレベーターの乗りかごを示す図である。
この第４実施形態は、上かご室２４ａ自体が自走するためのローラと、駆動モータを備えるようにしたものである。
【００２５】
上かご室２４ａには、その下部の左右両側に自走用の駆動ローラ４５ａ、４５ｂが設けられ、この駆動ローラ４５ａ、４５ｂは、各々モータ４６ａ、４６ｂによって駆動される。上かご室２４ｂの上部には、左右両側に自走用の従動ローラ４７ａ、４７ｂが設けられている。駆動ローラ４５ａ、４５ｂと従動ローラ４７ａ、４７ｂは、立枠２１に取り付けられているガイドレール４８ａ、４８ｂに沿って転動するようになっている。
【００２６】
乗りかご全体の構造としては、下段の下かご室２４ｂは下梁２３に固定され、上梁２２上には、左右両側にプーリー３６が軸受台３７によって支持され、それぞれ上かご室２４ａに一端が止着されるロープ３２は、図７に示すように、プーリー３６を掛け廻わされて釣合い重り４０に連結されており、基本的に図４の乗りかごと同一であり、同一の構成要素には同一の参照符号が付している。
【００２７】
本発明の第４実施形態によれば、上かご室２４ａは、モータ４６ａ、４６ｂにより駆動ローラ４１ａ、４１ｂが駆動されると、立枠２１に沿って自走することができるので、下側の階床を基準にして下かご室２４ｂを着床させるときに、釣合い重りを自走させながら、上かご室２４ａを上下に移動させることで、上下かご室間の間隔を調整し、上側の階床と上かご室２４ａとの間に段差が生じないように着床させることができる。
【００２８】
第５実施形態
図８は、本発明の第５の実施形態によるダブルデッキエレベーターの乗りかごを示す図である。
この第５実施形態が第４実施形態と異なる点は、上かご室２４ａには、釣合い重りが連結されていないところである。上かご室２４ａは、その下部の左右両側に自走用の駆動ローラ４５ａ、４５ｂが設けられ、この駆動ローラ４５ａ、４５ｂは、各々モータ４６ａ、４６ｂによって駆動されるところは、図６の実施形態と同様であり、同一の構成要素には同一の参照符号が付してある。
【００２９】
第６実施形態
図９は、本発明の第６の実施形態によるダブルデッキエレベーターの乗りかごを示す図である。
この第６実施形態が、第５実施形態と異なる点は、駆動ローラを用いた自走式ではなく、巻胴式巻上機による巻上式にしたところである。すなわち、上かご室２４ａに一端が止着されるロープ４９をそれぞれ上枠２２上で左右に配置した巻胴式巻上機５０に巻き掛け、巻胴式巻上機５０の駆動により上かご室２４ａを相対移動させるように構成されている。その他は図８の第５実施形態と同様であり、同一の構成要素には同一の参照符号が付してある。
【００３０】
【発明の効果】
以上の説明から明らかなように、本発明によれば、異なる階床間隔を持つ建物であっても、階床との間に段差の生じることなく着床することができ、建物のデザインや建築誤差に柔軟に対応することができる。
【図面の簡単な説明】
【図１】本発明の第１実施形態によるダブルデッキエレベーターの乗りかごを示す斜視図。
【図２】本発明の第２実施形態によるダブルデッキエレベーターの乗りかごを示す斜視図。
【図３】図２における矢印Ａ方向から釣合い重りを示す図。
【図４】本発明の第３実施形態によるダブルデッキエレベーターの乗りかごを示す斜視図。
【図５】図４の乗りかごを駆動するリニアモータにおける１次導体と２次導体を示す斜視図。
【図６】本発明の第４実施形態によるダブルデッキエレベーターの乗りかごを示す正面図。
【図７】図６におけるＣ−Ｃ矢視断面図。
【図８】本発明の第５実施形態によるダブルデッキエレベーターの乗りかごを示す正面図。
【図９】本発明の第５実施形態によるダブルデッキエレベーターの乗りかごを示す正面図。
【図１０】従来のダブルデッキエレベーターを示す斜視図。
【符号の説明】
２０  乗りかご
２１  立枠
２２  上梁
２３  下梁
２４ａ  上かご室
２４ｂ  下かご室
２６  主索
２７  ガイドローラ
２８  ガイドレール
３０  釣合い重り
３２  ロープ
３３  トラクションシーブ
３６  プーリー
４０  釣合い重り
４２  モータ
【図１】
0004371499.tif 000002
【図２】
0004371499.tif 000003
【図３】
0004371499.tif 000004
【図４】
0004371499.tif 000005
【図５】
0004371499.tif 000006
【図６】
0004371499.tif 000007
【図７】
0004371499.tif 000008
【図８】
0004371499.tif 000009
【図９】
0004371499.tif 000010
【図１０】
0004371499.tif 000011